(57)【要約】【課題】比較的簡単なかつ丈夫な構成で筆記体を押し出す際に確実に蓋体を開くことができかつ収納時には確実に開口をシールすることができる出没式塗布具を提供する。【解決手段】軸状塗布体１２の前進動作時には、斜面部２０が前記蓋体１６の突起２２を押して前記弾性体２６の弾性力に抗して蓋体１６を軸筒１０の先端開口１０ａの開放方向に駆動し、かつ、前記塗布部１４を該開口１０ａから露出させ、一方、前記軸状塗布体１２の後退動作時には、斜面部２０が突起２２を押す力を解除して前記弾性体２６の弾性力によって蓋体１６を前記開口１０ａの閉鎖方向に戻し、かつ、前記塗布部１４を前記開口１０ａ内に収容して蓋体で軸筒１０先端開口１０ａをシールする出没式塗布具である。【選択図】図２
2010125602.tif 000002
【特許請求の範囲】
【請求項１】
軸筒先端の開口から出没可能な軸状塗布体を有し、その軸状塗布体の前進・後退動作に連動して軸筒先端の開口を開放・閉鎖して軸状塗布体先端の塗布部を露出・シールする蓋体を有する出没式塗布具において、
前記軸状塗布体は、先端に塗布部を設けた軸部の側面に先方側より後方側が径方向に高い斜面部を形成したものであり、
前記蓋体は、軸筒先端の開口閉鎖時に該開口に対向する裏面側に突起を形成し、後方側端を軸筒外面の軸支部に回動可能に支持しており、
前記軸筒外面に一端を固定した弾性体の他端を前記蓋体表面側に固定しこの弾性体によって蓋体を閉鎖方向に付勢する構造を有し、
前記軸状塗布体の前進動作時には、前記斜面部が前記蓋体の突起を押して前記弾性体の弾性力に抗して蓋体を軸筒先端開口の開放方向に駆動し、かつ、前記塗布部を該開口から露出させ、一方、前記軸状塗布体の後退動作時には、斜面部が突起を押す力を解除して前記弾性体の弾性力によって蓋体を前記開口の閉鎖方向に戻し、かつ、前記塗布部を前記開口内に収容して蓋体で軸筒先端開口をシールするようにしたことを特徴とする出没式塗布具。
【請求項２】
弾性体は、板状の金属バネ体からなり、軸筒の外面から蓋体外面に沿って配設したことを特徴とする請求項１に記載の出没式塗布具。
【請求項３】
前記軸筒は、主に硬質樹脂材からなり、該軸筒の先端開口を取り巻いたシール部とグリップ部が連続した弾性ゴム材からなる、二色成形したものであることを特徴とする請求項１または２に記載の出没式塗布具。
【発明の詳細な説明】
【技術分野】
【０００１】
本発明は、使用時には軸先端からペン先を突出させ、非使用時にはペン先を軸内に収容しかつ軸先端開口を蓋体で閉じることが可能なノック式ペンやボールペン、ノック式マーカー等の出没式筆記具、または、ノック式化粧料等の出没式塗布具に関する。
【背景技術】
【０００２】
筆記具では、ペン先にキャップを脱着する手間やキャップの紛失を防止するため、特開平８−２５８４８０号（特許文献１）に示されるようなキャップレス式筆記具（出没式筆記具）が知られている。この特許文献１記載の筆記具では、筆記体の前進によって、二股状のベルト部が前進し蓋体のヒンジ部を支点にして押し上げて二股の間を通してペン先が突出状態になる構成をしている。
【０００３】
また、実開平６−７１１７７号（特許文献２）記載のキャップレス筆記具では、軸本体を押し出すことによって内筒の先端面で蓋体を開きペン先を突出する構造になっている。
【特許文献１】特開平８−２５８４８０号公報
【特許文献２】実開平６−７１１７７号公報
【発明の開示】
【発明が解決しようとする課題】
【０００４】
しかしながら、前述の従来技術では、二股状のベルトによって蓋体を押し開く構造や、内筒部を前進させて蓋体を開けるという別体の構造を必要とするので部品点数が多くなってしまう。また、二股状のベルトでは、破損し易く、内筒部を設けるのでは軸本体先端部が太くなりやすい構造となる等の問題があった。
【０００５】
本発明は、斯かる実情に鑑み、比較的簡単なかつ丈夫な構成で筆記体を押し出す際に確実に蓋体を開くことができかつ収納時には確実に開口をシールすることができる出没式塗布具を提供しようとするものである。
【課題を解決するための手段】
【０００６】
本発明は出没式塗布具にかかるものである。
【０００７】
本発明は、軸筒先端の開口から出没可能な軸状塗布体を有し、その軸状塗布体の前進・後退動作に連動して軸筒先端の開口を開放・閉鎖して軸状塗布体先端の塗布部を露出・シールする蓋体を有する出没式塗布具において、
前記軸状塗布体は、先端に塗布部を設けた軸部の側面に先方側より後方側が径方向に高い斜面部を形成したものであり、
前記蓋体は、軸筒先端の開口閉鎖時に該開口に対向する裏面側に突起を形成し、後方側端を軸筒外面の軸支部に回動可能に支持しており、
前記軸筒外面に一端を固定した弾性体の他端を前記蓋体表面側に固定しこの弾性体によって蓋体を閉鎖方向に付勢する構造を有し、
前記軸状塗布体の前進動作時には、前記斜面部が前記蓋体の突起を押して前記弾性体の弾性力に抗して蓋体を軸筒先端開口の開放方向に駆動し、かつ、前記塗布部を該開口から露出させ、一方、前記軸状塗布体の後退動作時には、斜面部が突起を押す力を解除して前記弾性体の弾性力によって蓋体を前記開口の閉鎖方向に戻し、かつ、前記塗布部を前記開口内に収容して蓋体で軸筒先端開口をシールするようにしたことを特徴とする出没式塗布具である。
【０００８】
本発明において、弾性体は、板状の金属バネ体からなり、軸筒の外面から蓋体外面に沿って配設したことが好適である。
【０００９】
また、本発明において、前記軸筒は、主に硬質樹脂材からなり、該軸筒の先端開口を取り巻いたシール部とグリップ部が連続した弾性ゴム材からなる、二色成形したものであることが好適である。
【発明の効果】
【００１０】
本発明の請求項１〜３記載の出没式塗布具によれば、軸状塗布体に斜面部を形成し、前記蓋体の裏面側に突起を形成し、後方側端を軸筒外面の軸支部に回動可能に支持させ、弾性体によって蓋体を閉鎖方向に付勢するという簡単な構造によって、前記軸状塗布体の前進動作時には、前記斜面部が前記蓋体の突起を押して前記弾性体の弾性力に抗して蓋体を軸筒先端開口の開放方向に駆動し、かつ、前記塗布部を該開口から露出させ、一方、前記軸状塗布体の後退動作時には、斜面部が突起を押す力を解除して前記弾性体の弾性力によって蓋体を前記開口の閉鎖方向に戻し、かつ、前記塗布部を前記開口内に収容して蓋体で軸筒先端開口をシールするようにしたので、比較的簡単なかつ丈夫な構成で塗布体を押し出す際に確実に蓋体を開くことができかつ収納時には確実に開口をシールすることができる。
【００１１】
なお、弾性体を、板状の金属バネ体からなるものとし、軸筒の外面から蓋体外面に沿って配設すれば、軸筒外面から突出する部分が少なくすることができ、出没式塗布具をコンパクトに構成できる。
【００１２】
また、前記軸筒を、主に硬質樹脂材とし、該軸筒の先端開口を取り巻いたシール部とグリップ部が連続した弾性ゴム材からなる、二色成形するものにすれば、シール部とグリップ部の同時に成形でき、工数を少なくして気密性を高めるシール部と筆圧を加え易くするグリップ部が必要な場合にとくに有効である。
【発明を実施するための最良の形態】
【００１３】
以下、本発明の実施形態について添付図面を参照して説明する。
【００１４】
図１〜図１１は本発明の出没式塗布具の実施形態の説明図であって、図中、同一の符号を付した部分は同一物を表わす。
【００１５】
図１（ａ）、（ｂ）は第１の実施形態に係る出没式塗布具の外観を示す平面図（クリップ取付け側から見た側面図）、正面図（クリップ横面方向からみた図）を示す。図２（ａ）、（ｂ）は図１の塗布具の縦断面であって、軸状塗布体の収納時、前進時を示す。図３は図１の塗布具の軸筒先端の説明図であって、（ａ）は平面図、（ｂ）は正面図、（ｃ）は（ｂ）の縦断面図、（ｄ）は左側面図、（ｅ）は（ｄ）の横断面図である。図４は図１の塗布具の蓋体の詳細説明図であって、（ａ）は平面図、（ｂ）は正面図、（ｃ）は下面図、（ｄ）は右側面図、（ｅ）は左側面図、（ｆ）は（ｂ）の縦断面図である。図５は図１の塗布具の軸状塗布体の塗布部突出時の外観斜視図である。図６（ａ）、（ｂ）は図１の塗布具の軸状塗布体の縦断面図、正面図である。図７（ａ）、（ｂ）、（ｃ）は繰出し機構の縦断面図、正面図、正面図から９０度回転させて側部側から見た平面図である。
【００１６】
図８（ａ）、（ｂ）は第２実施形態に係る出没式塗布具の外観を示す平面図、正面図である。図９は（ａ）、（ｂ）は図８の塗布具の縦断面図であって、軸状塗布体の収納時、前進時を示す。図１０は図８の塗布具の軸状塗布体のノック部を一体にしたリフィールの説明図であって、（ａ）は平面図、（ｂ）は正面図、（ｃ）は縦断面図、（ｄ）は先方から見た図である。図１１は図８の塗布具に設けられたノック筒の説明図であって、（ａ）は正面図、（ｂ）は縦断面図、（ｃ）は先方から見た図、（ｄ）は後方から見た図である。
【００１７】
第１の実施形態に係る出没式塗布具は、図１〜２に示すように、軸筒１０先端の開口１０ａから出没可能な軸状塗布体１２を有し、その軸状塗布体１２の前進・後退動作に連動して軸筒１０先端の開口１０ａを開放・閉鎖して軸状塗布体１２先端の塗布部１４を露出・シールする蓋体１６を有する出没式塗布具に係るものであって、ノック式マーカー等の筆記具とすることができる。
【００１８】
軸筒１０は、図１〜２に示すように、中空の概略筒状体であって、前部が中央部より細く形成され、前端部には、斜めに切断した状態に開口１０ａが形成されていて、軸筒１０後部の外面部に弾性のあるクリップ１０ｃが形成される。また、前部内に軸状塗布体１２が、後部内に繰出し機構２８が設けられている。なお、繰出し機構２８の後端開放円筒状のノック体２８ａが軸筒１０後端部開口から進退動可能に突出している。
【００１９】
この繰出し機構２８では、図２、図７に示すように、ノック体２８ａの前部に連続形成されたノック体２８ａより細い棒状を呈して延びる柱状部分２８ａ１と、その柱状部分２８ａ１前端から柱状部分２８ａ１とやや離れてノック体２８ａ付近まで延びる弾性のある弓状の弾発側部２８ｂとを有し、柱状部分２８ａ１および２８ｂによって一側面視で概略Ｖ字形状（マツバ状）に構成されている。弾発側部２８ｂの弾発方向側面部（上記柱状部分２８ａ１とは反対側側面部）に突起２８ｃが軸方向前後に一対形成されている。
【００２０】
前記柱状部分２８ａ１前端が軸状塗布体１２の後端（栓１２ｃの後端面）に当接し、その前端から分かれた弾性のある弾発側部２８ｂの突起２８ｃ、２８ｃが軸筒１０の孔１０ｅ、１０ｅに嵌入離脱して軸状塗布体１２の突出位置、収納位置に位置決めするいわゆるマツバ式のノック方式となっている。ノック方式はこのようなマツバ方式の他、カーンノック方式を採用することができる。
【００２１】
図２、図６に示すように、前記軸状塗布体１２は、先端に塗布部１４を設けた軸部１８の前部１２ａ側面に先方側より後方側が径方向に高い斜面部２０を形成したものである。実施形態では、軸状塗布体１２は塗布具から交換可能なリフィールであって、前部１２ａから後部１２ｂにわたって中空筒状であって、該前部１２ａに塗布部１４を嵌入固定している。この前部の外側面にリブ状の突部１２ａ１が形成され、その突部１２ａ１の前側に前記斜面部２０が形成されたものである。
【００２２】
なお、塗布部１４は液体誘導芯であって、繊維体や成形誘導体のいずれでもよい（例えばＰＥＴ（ポリエチレンテレフタレート）、ＰＯＭ（ポリアセタール）、アクリルを材質とする）。
【００２３】
また、塗布部１４先端は軸状塗布体１２前部１２ａ先端より突出しており、塗布部１４後端は軸状塗布体１２後部１２ｂの収容部内に突出して塗布液を誘導するようにしている。前記前部１２ａから段状に拡径して連続する前記後部１２ｂ内が塗布液（インキ等）を収容する収容部である。該後部１２ｂの収容部内には、中綿に塗布液を含浸させまたは直液で塗布液を収容している。また前記後部１２ｂ後端開口は栓１２ｃを嵌入して塞いでいる。この場合、前記後部１２ｂの栓１２ｃを陥入する部分は段差部１２ｄを経由して拡径しており、前記軸筒１０中央部の段差１０ｂとこの拡径した段差部１２ｄとの間にコイル状スプリング３０等の弾性体が設けられている。
【００２４】
インクが不足したときに、軸状塗布体１２の全体的な交換が困難なものの場合は、栓１２ｃをネジによる開栓方式にして中綿交換することで対応することができる。
【００２５】
前記蓋体１６は、軸筒１０先端の開口１０ａ閉鎖時に該開口１０ａに対向する裏面側に突起２２を形成し、後方側端を軸筒１０外面の軸支部２４に回動可能に支持している。
【００２６】
詳しくは、蓋体１６は、軸筒１０先端開口１０ａを塞ぐための裏面が凹んだ概略椀状の蓋体１６の本体１６ａと、その蓋体１６の本体１６ａの表面側に後方に向けて延ばした対の回動腕部１６ｂと、その回動腕部１６ｂの先端内側に内向きに突出形成した突起状の回動軸１６ｃとを設けたものである。
【００２７】
なお、前記回動腕部１６ｂは蓋体１６の本体１６ａの表面側を前後にわたって形成固定されていることによって、回動腕部１６ｂによって蓋体１６の本体１６ａの強度部材になっている。
【００２８】
軸筒１０外面の軸支部２４は、図３に示すように、平面視（図３（ａ））概略コ字形状に形成され、軸筒先端方向向き二つに分かれた対で形成された前部２４ａと、平面視で矩形であって前方向きの対の開口および側方向きの開口のある空間２４ｃが形成された後部２４ｂとからなる。前部２４ａには、対の側面部に前記蓋体１６の回動軸１６ｃを嵌める円筒空間状の凹所２４ａ１を設けている。また、後部２４ｂ内には空間２４ｃの後端を軸筒１０の周方向に延びる後端壁部２４ｄ１で閉ざし、その後端壁部２４ｄ１の中央部から軸方向前方に延びる仕切り壁２４ｄ２で前方向きの対の開口が仕切られていて、後端壁部２４ｄ１と仕切り壁２４ｄ２とでＴ字形状を呈して前記空間２４ｃを２つに仕切っている。
【００２９】
軸筒１０外面に一端２６ａを固定した弾性体２６の他端２６ｂを前記蓋体１６表面側に固定し、この弾性体２６によって蓋体１６を閉鎖方向に付勢する構造を有する。詳しくは、弾性体２６は板状の金属バネ体からなり、軸筒１０の外面から蓋体１６外面に沿って配設したものである。弾性体２６は前方側が弧状に折り曲げてあり、前方側一端２６ａが蓋体１６の表面側に当接して押し下げている。また、後方側の他端２６ｂは図１に示すように内側に切り込み２６ｂ１を入れて鋸歯状を呈し、その切り込みによって前記仕切り壁２４ｄ２を噛み込んで前記軸支部２４の空間２４ｃ内に差し込んだ状態で固定している。
【００３０】
なお、前記軸筒１０は、主に硬質樹脂材（例えばＰＰ（ポリプロピレン）、ＰＣ（ポリカーボネート）、ＡＢＳ、ＰＯＭ）からなる。
【００３１】
気密性向上ため蓋体１６と接する軸筒１０本体の先端開口１０ａ周縁部に弾性体を設置することが考えられる。実施形態では、図１に示すように、該軸筒１０の先端開口１０ａを取り巻いたシール部３４とグリップ部３６が連続した弾性ゴム材（例えばＴＰＥ：熱可塑性エラストマ等）からなる、軸筒１０を二色成形したものである。これにより、シール部３４とグリップ部３６を同時に成形でき、工数を少なくして気密性を高めるシール部と筆圧を加え易くするグリップ部が必要な場合にとくに有効である。
【００３２】
また、塗布部１４突出時の気密性の向上のために、図２に示すように、蓋体１６と逆側（軸筒１０本体の後側）のシールは、軸状塗布体１２のアンダーカットと軸筒１０内部のアンダーカットが接することによって実現できる（アンダーカットは適宜位置に設けることができる）。もしくは、軸状塗布体１２側に弾性体のＯ（オー）リングを取付けて気密性を向上させることもできる。
【００３３】
また、繰出し機構２８による繰出しのために軸状塗布体１２を後方に付勢するコイル状スプリング３０は、軸状塗布体１２の段差部１２ｄと軸筒内の段差１０ｂ（リブでもよい）との間に固定されている。これにより、軸筒１０先端部内が複雑な構造にならず軸筒１０を細身に形成することができ、設計の自由度が高くなる。
【００３４】
実施形態に係る出没式塗布具によれば、前記軸状塗布体１２の前進動作時には、図２、図５に示すよう、斜面部２０が前記蓋体１６の突起２２を押して前記弾性体２６の弾性力に抗して蓋体１６を軸筒１０先端開口の開放方向に駆動し、かつ、前記塗布部１４を該開口１０ａから露出させる。一方、前記軸状塗布体１２の後退動作時には、斜面部２０が突起２２を押す力を解除して前記弾性体２６の弾性力によって蓋体１６を前記開口１０ａの閉鎖方向に戻し、かつ、前記塗布部を前記開口内に収容して蓋体１６で軸筒１０先端開口をシールするようにするので、比較的簡単なかつ丈夫な構成で塗布体を押し出す際に確実に蓋体１６を開くことができかつ収納時には確実に開口をシールすることができる
【００３５】
図８〜図１１は、第２の実施形態に係る出没式筆記具の説明図であって、図８は同出没式筆記具の外観図、図９は同出没式筆記具の断面図、図１０は同出没式筆記具に設けられた軸状塗布体およびそれに一体化した繰出し部の説明図、図１１はノック筒の説明図を示している。
【００３６】
第２の実施形態に係る出没式筆記具は、第１の実施形態に係る出没式筆記具に係る軸状塗布体１２と同様機能の軸状塗布体１２Ａの後部に繰出し部２８Ａを一体成形しノック筒２８Ｄを螺合して（嵌合してもよい）一体的構造にしたリフィール構造のものである。なお、蓋体１６周辺等の第１の実施形態と同様部分に同一の符号を付している。
【００３７】
図１０に示すように、軸状塗布体１２Ａの前部１２ａ内には、塗布部１４を支持するリブ１２ａ２が形成され、後部１２ｂ内にも中綿を支持するリブ１２ａ３が形成されている。
後部の繰出し部２８Ａは軸状塗布体１２Ａの後部の段状の拡径した段差部１２ｄの太さのまま後方に延びた筒状部であって、その筒状部の側面部には、孔２８Ａ１が一対穿設されていると共に側面部の孔２８Ａ１の形成部間に係止用突起２８Ｃが径方向に突出形成されている。更に、繰出し部２８Ａ内部において、孔２８Ａ１の前方には傾斜状の突起（先方が縮径するように、内周に環状に形成されている）を持つ傾斜部２８Ａ３、後方端部内面にはネジ部２８Ａ２が形成されている。
【００３８】
繰出し部２８Ａの筒状部内には後方からノック筒２８Ｄが嵌入している。図１１に示すように、このノック筒２８Ｄの内部空間を取り巻く内周面はリブ２８Ｄ１が４箇所形成されていて、閉鎖される後端部近辺では十字状のリブ２８Ｄ２が形成されている。また、ノック筒２８Ｄの外周面にはフランジ２８Ｄ３が環状に取り巻いて形成されている。ノック筒２８Ｄを繰出し部２８Ａの後端開口から装着した際に、ノック筒２８Ｄの前端部に形成された突き当て部２８Ｄ５は繰出し部２８Ａにおける前方側の内部空間に形成された傾斜部２８Ａ３と係止し、ノック筒２８Ｄのフランジ２８Ｄ３は繰出し部２８Ａの後端面に突き当たり、かつ、フランジ２８Ｄ３前方のネジ部２８Ｄ４が繰出し部２８Ａ内周面のネジ部２８Ａ２に螺合して抜け止められている。
【００３９】
抜け止められたノック筒２８Ｄが軸状塗布体１２Ａの後部である繰出し部２８Ａにおける前方側の内部空間に形成された傾斜部２８Ａ３とノック筒２８Ｄの前端部外周に環状に突出形成された突き当て部２８Ｄ５でシールし（傾斜部２８Ａ３と突き当て部２８Ｄ５が互いに乗り越えて嵌合し合って気密保つようにする）、内部空間を一体にした閉鎖構造にすることにより、気密状態を保持している。そして、この閉鎖空間内にインキを含浸させた中綿を収容している。
【００４０】
軸筒１０外周面には、クリップ１０ｃの先端部が接する部分周辺に軸方向に長く孔１０Ｄが穿設されており、この孔１０Ｄには、繰出し部２８Ａの係止用突起２８Ｃが突出配置され、その後方部にクリップ１０ｃが軸筒１０外周面突部に揺動可能に軸支されている。このクリップ１０ｃは、その先端部に係止溝１０ｃ１が形成されており、図９（ｂ）に示すように、軸状塗布体１２Ａの前進端時に係止用突起２８Ｃが係止溝１０ｃ１に係止して、軸状塗布体１２Ａを前端位置に保持するようになっている。なお、符号１０ｃ２は、クリップ１０ｃ先端を軸筒１０方向に回動させる付勢力を作用させる弾性体である。
【００４１】
第２の実施形態における出没式筆記具を作動させる際に、ノック筒２８Ｄ後端を押して軸状塗布体１２を前進させると、係止用突起２８Ｃが軸筒１０の孔１０Ｄ内で前方に移動して、クリップ１０ｃの係止溝１０ｃ１に引っ掛かって、軸状塗布体１２Ａを前端位置に保持・固定して、塗付部１４先端を軸筒１０の先端開口１０ａから露出させることができる。一方、クリップ１０ｃ先端を軸筒１０から離すように回転させると、係止用突起２８Ｃがクリップ１０の係止溝１０ｃ１から離脱し、コイル状スプリング３０の弾性力によって軸状塗布体１２Ａは後退する。上記のように、軸状塗布体１２Ａの突出位置、収納位置に位置決めする方式を採用している。
軸状塗布体１２Ａの前進・後退動作時の蓋体１６の開閉作動は第１の実施形態と同様である。
【００４２】
この第２の実施形態では、軸状塗布体１２Ａと繰出し部２８Ａを一体化してリフィールとして交換ができる構成になっている。
【００４３】
なお、リフィール全体の交換が困難な場合は、ノック筒２８Ｄを繰出し部２８Ａ後端部にネジによる開栓方式にして中綿交換することで対応することができる。
【００４４】
本発明の出没式塗布具は、上記した実施の形態に限定されるものではなく、本発明の要旨を逸脱しない範囲内において種々変更を加え得ることは勿論である。
【図面の簡単な説明】
【００４５】
【図１】（ａ）、（ｂ）は実施形態に係る出没式塗布具の外観を示す平面図、正面図を示す。
【図２】（ａ）、（ｂ）は同塗布具の縦断面図であって、軸状塗布体の収納時、前進時を示す。
【図３】同塗布具の軸筒先端の説明図であって、（ａ）は平面図、（ｂ）は正面図、（ｃ）は縦断面図、（ｄ）は左側面図、（ｅ）は横断面図である。
【図４】同塗布具の蓋体の詳細説明図であって、（ａ）は平面図、（ｂ）正面図、（ｃ）は下面図、（ｄ）は右側面図、（ｅ）左側面図、（ｆ）は（ｂ）の断面図である。
【図５】同塗布具の軸状塗布体の塗布部突出時の外観斜視図である。
【図６】同塗布具の軸状塗布体の説明図であって、（ａ）は縦断面図、（ｂ）は正面図である。
【図７】同塗布具の繰出し機構の縦断面図、正面図、正面面から９０度回転させて下方側から見た下面図である。
【図８】（ａ）、（ｂ）は第２の実施形態に係る出没式塗布具の外観を示す平面図、正面図を示す。
【図９】（ａ）、（ｂ）は図８の出没式塗布具の縦断面であって、軸状塗布体の収納時、前進時を示す。
【図１０】図８の出没式塗布具の軸状塗布体をノック部と一体にしてリフィールとしたものの説明図であって、（ａ）は平面図、（ｂ）は正面図、（ｃ）は縦断面図、（ｄ）は先方から見た図である。
【図１１】図８の出没式塗布具に設けられたノック筒の説明図であって、（ａ）は正面図、（ｂ）は縦断面図、（ｃ）は先方から見た図、（ｄ）は後方から見た図である。
【符号の説明】
【００４６】
１０  軸筒
１０ａ  軸筒先端の開口
１０ｂ  段差
１０ｃ  クリップ
１０ｃ１  クリップの係止溝
１０ｃ２  クリップの弾性体
１０ｅ  軸筒の孔
１０Ｄ  軸筒の孔
１２、１２Ａ  軸状塗布体
１２ａ  前部
１２ａ１  前部側面の突部
１２ａ２、１２ａ３  内面のリブ
１２ｂ  軸状布体の後部
１２ｃ  尾栓
１２ｄ  段差部
１４  塗布部
１６  蓋体
１６ａ  蓋体の本体
１６ｂ  蓋体の回動腕部
１６ｃ  回動軸
１８  軸部
２０  斜面部
２２  突起
２４  軸支部
２４ａ  軸支部の前部
２４ａ１  前部の凹所
２４ｂ  軸支部の後部
２４ｃ  軸支部内の空間
２４ｄ１  空間を形成する後端壁部
２４ｄ２  仕切り壁
２６  弾性体
２６ａ  弾性体の前方側端（一端）
２６ｂ  弾性体の後方側端（他端）
２６ｂ１  弾性体後方側端の切り込み
２８  繰出し機構
２８ａ  ノック体
２８ａ１  柱状部分
２８ｂ  側部
２８ｃ  突起
２８Ａ  繰出し部
２８Ａ１  側部の孔
２８Ａ２  ネジ部（雌ネジ）
２８Ａ３  傾斜部
２８Ｃ  係止用突起
２８Ｄ  ノック筒
２８Ｄ１  リブ
２８Ｄ２  リブ
２８Ｄ３  フランジ
２８Ｄ４  ネジ部（雄ネジ）
２８Ｄ５  突き当て部
３０  コイル状スプリング
３４  軸筒開口のシール部
３６  軸筒前部のグリップ部
【図１】
2010125602.tif 000003
【図２】
2010125602.tif 000004
【図３】
2010125602.tif 000005
【図４】
2010125602.tif 000006
【図５】
2010125602.tif 000007
【図６】
2010125602.tif 000008
【図７】
2010125602.tif 000009
【図８】
2010125602.tif 000010
【図９】
2010125602.tif 000011
【図１０】
2010125602.tif 000012
【図１１】
2010125602.tif 000013